(57)【要約】【課題】災害時に給水車等で供水された水を簡単に湯沸かしできて、お湯の使用により被災時の生活環境の改善を図ることが可能な移動式給湯装置を提供する。【解決手段】底面に車輪を有して移動可能な箱状の筺体の前面内部に配置されたガス瞬間湯沸器と、筺体の内部に配置された水タンク及びエアタンクと、水タンク内の水をガス瞬間湯沸器内に所定圧で供給するエア供給手段と、筺体のガス瞬間湯沸器の上方に配置され内部のガスをガス瞬間湯沸器内に所定圧で供給するカセットガスボンベと、を備え、エア供給手段を作動させて水タンクからガス瞬間湯沸器の給水口に水を供給しつつ、カセットガスボンベからガス瞬間湯沸器のガス供給口にガスを供給して、該ガス瞬間湯沸器で沸かしたお湯をガス瞬間湯沸器の給湯口から排出可能としたことを特徴とする。【選択図】図１
2011169571.tif 000002
【特許請求の範囲】
【請求項１】
底面に車輪を有して移動可能な箱状の筺体の前面内部に配置されたガス瞬間湯沸器と、前記筺体の内部に配置された水タンク及びエアタンクと、前記水タンク内の水を前記ガス瞬間湯沸器内に所定圧で供給するエア供給手段と、前記筺体のガス瞬間湯沸器の上方に配置され内部のガスを前記ガス瞬間湯沸器内に所定圧で供給するカセットガスボンベと、を備え、
前記エア供給手段を作動させて前記水タンクからガス瞬間湯沸器の給水口に水を供給しつつ、前記カセットガスボンベからガス瞬間湯沸器のガス供給口にガスを供給して、該ガス瞬間湯沸器で沸かしたお湯をガス瞬間湯沸器の給湯口から排出可能としたことを特徴とする移動式給湯装置。
【請求項２】
前記エア供給手段は、商用電源で作動可能なコンプレッサと自転車用の空気入れとで構成されていることを特徴とする請求項１に記載の移動式給湯装置。
【請求項３】
前記ガス瞬間湯沸器は、その給水口に前記水タンクと上水道配管が択一的に接続可能に構成されると共に、そのガス供給口に前記カセットガスボンベとプロパンガスボンベが択一的に接続可能に構成されていることを特徴とする請求項１または２に記載の移動式給湯装置。
【請求項４】
前記カセットガスボンベは、前記ガス瞬間湯沸器の上方に所定の空間を介して配置された遮熱板上に外部に露出する状態で配置されていることを特徴とする請求項１ないし３のいずれかに記載の移動式給湯装置。
【請求項５】
前記水タンクは、その上部の給水口に蓋体が着脱可能に装着されると共に、水タンク自体が筺体に対して取り外し可能に配設されていることを特徴とする請求項１ないし４のいずれかに記載の移動式給湯装置。
【発明の詳細な説明】
【技術分野】
【０００１】  本発明は、地震発生時等の災害時に、飲料用やレトルト食品用、あるいは汗ふき用等として使用できるお湯を沸かすことが可能な移動式給湯装置に関する。
【背景技術】
【０００２】  一般的に、阪神大震災のような大地震が発生した場合、電気、ガス、水道等のライフラインの使用が不可能となり、このライフラインをいかに早く復旧させるかが大きな問題である。従来、災害時のライフラインのうち、生活に欠かせない「水」については、給水車による給水が行われているが、例えば特許文献１に示すような給水装置も提案されている。この特許文献１に記載の給水装置（飲料水バッグ製造装置）は、可搬式の箱体の内部に滅菌装置と飲料水の袋詰め装置を備え、この箱体に水源へ連なる受入口と給水口とを設けると共に、箱体に担い棒を係止するための係止手段を設けたものである。
【先行技術文献】
【特許文献】
【０００３】
【特許文献１】特開平８−１６９４０２号公報
【発明の概要】
【発明が解決しようとする課題】
【０００４】  しかしながら、このような給水装置にあっては、給水口から、冷たい水を単にバッグに収容して被災者に供給するのみであるため、例えばお茶を飲みたかったり、水をお湯にしてレトルト食品を食べたかったり、あるいはお湯が浸みた暖かいタオルで身体を拭いてさっぱりしたい等の被災者の要望に対しては、給水された水を沸かす必要がある。ところが、被災地では、前述したように電気、ガス等が使用できない場合が多いことから、熱源が乏しくまた焚き火等の熱源は安全上の問題があること等から、被災地でお湯を簡単に沸かすことが困難で、被災者は前記要望を諦めざるを得ないのが実情である。【０００５】  本発明は、このような事情に鑑みてなされたもので、その目的は、災害時に給水車等で給水された水を簡単に湯沸かしできて、お湯の使用により被災時の生活環境の改善を図ることが可能な移動式給湯装置を提供することにある。また、他の目的は、前記目的に加え、被災地の状況に応じて、使用可能なライフラインを効果的に使用してお湯を効率的に沸かすことが可能な移動式給湯装置を提供することにある。
【課題を解決するための手段】
【０００６】  かかる目的を達成すべく、本発明のうち請求項１に記載の発明は、底面に車輪を有して移動可能な箱状の筺体の前面内部に配置されたガス瞬間湯沸器と、前記筺体の内部に配置された水タンク及びエアタンクと、前記水タンク内の水を前記ガス瞬間湯沸器内に所定圧で供給するエア供給手段と、前記筺体のガス瞬間湯沸器の上方に配置され内部のガスを前記ガス瞬間湯沸器内に所定圧で供給するカセットガスボンベと、を備え、前記エア供給手段を作動させて前記水タンクからガス瞬間湯沸器の給水口に水を供給しつつ、前記カセットガスボンベからガス瞬間湯沸器のガス供給口にガスを供給して、該ガス瞬間湯沸器で沸かしたお湯をガス瞬間湯沸器の給湯口から排出可能としたことを特徴とする。【０００７】  また、請求項２に記載の発明は、前記エア供給手段が、商用電源で作動可能なコンプレッサと自転車用の空気入れとで構成されていることを特徴とする。また、請求項３に記載の発明は、前記ガス瞬間湯沸器が、その給水口に前記水タンクと上水道配管が択一的に接続可能に構成されると共に、そのガス供給口に前記カセットガスボンベとプロパンガスボンベが択一的に接続可能に構成されていることを特徴とする。【０００８】  さらに、請求項４に記載の発明は、前記カセットガスボンベが、前記ガス瞬間湯沸器の上方に所定の空間を介して配置された遮熱板上に外部に露出する状態で配置されていることを特徴とする。また、請求項５に記載の発明は、前記水タンクが、その上部の給水口に蓋体が着脱可能に装着されると共に、水タンク自体が筺体に対して取り外し可能に配設されていることを特徴とする。
【発明の効果】
【０００９】  本発明のうち請求項１に記載の発明によれば、エア供給手段を作動させて水タンクからガス瞬間湯沸器の給水口に所定圧の水を供給しつつ、カセットガスボンベからガス瞬間湯沸器のガス供給口に所定圧のガスを供給して、該ガス瞬間湯沸器で沸かしたお湯をガス瞬間湯沸器の給湯口から排出可能としているため、災害時に給水車等で給水された水を簡単に湯沸かしできて、このお湯を例えばお茶用やレトルト食品用あるいは汗拭き用として使用でき、被災時の生活環境の改善を図ることができる。【００１０】  また、請求項２に記載の発明によれば、請求項１に記載の発明の効果に加え、エア供給手段が、商用電源で作動可能なコンプレッサと自転車用の空気入れとで構成されているため、商用電源が使用可能な場合には、コンプレッサを使用しつつ給水でき、また、コンプレッサが使用できない場合には、空気入れを使用して給水できる等、使用可能な商用電源を効果的に使用しつつ、お湯を効率的に沸かすことができて、給湯装置の使い勝手を高めることができる。【００１１】  また、請求項３に記載の発明によれば、請求項１または２に記載の発明の効果に加え、ガス瞬間湯沸器の給水口に水タンクと上水道配管が択一的に接続可能に構成されると共に、ガス供給口にカセットガスボンベとプロパンガスボンベが択一的に接続可能に構成されているため、被災地の状況に応じて、使用可能な上水道配管やプロパンガスボンベを効果的に使用しつつ、お湯を効率的に沸かすことができて、給湯装置の使い勝手を一層高めることができる。【００１２】  さらに、請求項４に記載の発明によれば、請求項１ないし３に記載の発明の効果に加え、カセットガスボンベがガス瞬間湯沸器の上方に所定の空間を介して配置された遮熱板上に外部に露出する状態で配置されているため、遮熱板と太陽光によりカセットガスボンベの周囲の雰囲気を、該ボンベが作動可能な温度範囲内に容易に設定することができて、給湯装置を屋外であっても安定して使用することができる。【００１３】  また、請求項５に記載の発明によれば、請求項１ないし４に記載の発明の効果に加え、水タンクの上部の給水口に蓋体が着脱可能に装着されると共に、水タンク自体が筺体に対して取り外し可能に構成されているため、水タンクへの給水作業が容易に行えると共に、筺体から取り外すことで水タンクの清掃等が簡単に行えて、被災時に清潔な水でお湯を沸かすことができる等、衛生面でも優れた給湯装置を得ることができる。
【図面の簡単な説明】
【００１４】
【図１】  本発明に係わる移動式給湯装置の正面図
【図２】  同その側面カバーを取り外した状態の右側面図
【図３】  同背面カバーを取り外した状態の背面図
【図４】  同平面図
【図５】  同図２のＡ部の拡大図
【図６】  同ガスと水の系統図
【発明を実施するための形態】
【００１５】  以下、本発明を実施するための最良の形態を図面に基づいて詳細に説明する。
図１〜図６は、本発明に係わる移動式給湯装置の一実施形態を示している。図１〜図４に示すように、移動式給湯装置１（以下、給湯装置１という）は、例えばアルミ製の角パイプで縦長箱状に形成され下面の四隅にロック機構付きの車輪３が設けられて移動可能な筺体２を有し、この筺体２の前面の上部にはガス瞬間湯沸器４が配置されている。また、筺体２の背面側で筺体２の横桟２ａ（中間板）上には水タンク５と空気入れ６が配置されると共に、これらの下方にはエアタンク７とコンプレッサ８が配置されている。さらに、筺体２のガス瞬間湯沸器４の上方には４本のカセットガスボンベ９が水平方向に併設状態で配置されている。
【００１６】  前記ガス瞬間湯沸器４は、一般家庭用として市販されているものが使用され、その操作パネルには、給湯ボタン４ａと燃焼確認用の窓４ｂ等が設けられると共に、下面には沸かした湯を排出する湯排出口４ｃが設けられている。この湯排出口４ｃには、先端に給湯口４ｄ１が設けられた可撓性を有する給湯管４ｄが接続されている。また、ガス瞬間湯沸器４の上面には、湯沸かし中に発生する熱を上方に排出する複数のスリットや多数の細孔からなる排熱口４ｅ（図５参照）が設けられると共に、下面の所定位置には給水口としての蛇口４ｆとガス供給口４ｇ（図６参照）が設けられている。
【００１７】  前記水タンク５は、例えば所定内径の塩ビパイプで有底円筒状に形成された本体部５ａと、この本体部５ａの上面開口部に嵌合固着されたキャップ部５ｂと、このキャップ部５ｂの給水口としての上面開口部に着脱可能に装着されて握持部を有する蓋体５ｃを有している。また、水タンク５のキャップ部５ｂには、エアカプラが着脱可能に接続されるエア供給口５ｄが設けられると共に、本体部５ａの底部には、水カプラが着脱可能に装着される水排出口５ｅが設けられている。そして、この水タンク５は、キャップ部５ｂの上面開口部に蓋体５ｃを装着した際に、タンク５内部が密閉された空間となるように構成されている。
【００１８】  なお、水タンク５の本体部５ａとキャップ部５ｂの背面側の外周面には、内部の水の水位を示すレベル計５ｆが上下方向に取り付けられている。また、水タンク５は、市販されている例えば１８リットル用のポリタンク内の水が全量収容できる大きさに設定され、上部の蓋体５ｃを取り外すことにより水タンク５内に水が供給されて、１８リットルの水を収容した場合に、その水位ａが図３の点線で示す位置となるように設定されている。さらに、前記エア供給口５ｅは、この水位ａより上方に位置するようにして設けられている。
【００１９】  前記エアタンク７は、例えば鉄製の両端が閉塞された略円筒形状のタンクで形成され、その適宜位置には、コンプレッサ用のエア供給口７ａとエア出口７ｃ（いずれも図６参照）と、図１に示すように、後述する空気入れ用のエア供給口７ｂと、エアタンク７の一次側（入力側）の圧力を指示する一次圧力計７ｄと、エアタンク７の二次側（出力側）の圧力を指示する二次圧力計７ｅ等が設けられている。
【００２０】  前記コンプレッサ８は、商用電源としてのＡＣ１００Ｖで動作可能で、例えば０．７５Ｍｐａの安全弁を有する小型のコンプレッサで構成され、ＡＣ１００Ｖ電源（コンセント）に接続可能な電源コード及びプラグ（図示せず）を有している。また、コンプレッサ８と共にエア供給手段を構成する前記空気入れ６は、例えば市販されている自転車用の空気入れが使用され、シリンダ及びハンドルと先端に口金を有するホース等を有している。そして、図３に示すように、水タンク５の側方の空間で前記筺体２の横桟２ａ上に取り出し可能に配置され、筺体２から取り出してホース先端の口金をエアタンク７の前記エア供給口７ｂに接続し、ハンドルを上下させることによりシリンダ内部の所定圧の空気がエアタンク７に供給されるようになっている。
【００２１】  前記カセットガスボンベ９は、市販されている家庭用の卓上コンロに装着されて使用されるものが使用され、内部にはブタンガスが充填されている。このカセットガスボンベ９の口金は、内部にガス流路１０ａ（図５参照）を有するアダプタ１０の嵌合部にそれぞれ接続、すなわち４個のカセットガスボンベ９が並列状態で接続され、アダプタ１０がガス瞬間湯沸器４のガス供給口４ｇに後述する如く接続されている。なお、アダプタ１０は、例えば両端が閉塞されたアルミ製の角パイプで形成されて、ガス流路としての機能と各カセットガスボンベ９の口金の支持機能とを兼用している。
【００２２】  また、カセットガスボンベ９は、図５に拡大して示すように、ガス瞬間湯沸器４の上方から背面に向けて配置された側面視略Ｌ字形状の遮熱板１３の水平部１３ａ上に載置されている。この遮熱板１３は、例えば所定板厚のアルミ板を、水平部１３ａと垂直部１３ａを有する如く折り曲げることで形成され、水平部１３ａとガス瞬間湯沸器４の上面との間隔寸法ｈが、例えばｈ＝４０〜６０ｍｍ（好ましくは５０ｍｍ）に設定されている。この間隔寸法ｈは、ガス瞬間湯沸器４の上面に前記排熱口４ｅが設けられていることから、この排熱口４ｅから排出される熱によりカセットガスボンベ９の周囲の雰囲気が該ボンベ９の使用最大温度以下となる、実験により求めた値である。また、前記遮熱板１３は、その垂直部１３ｂがガス瞬間湯沸器４の背面側まで延びて、水タンク５等との間の熱干渉が防止されるようになっている。
【００２３】  なお、前記給湯装置１の筺体２の各面には、図示しないアルミの薄板からなるカバーが取り付けられている。すなわち、筺体２の前面のガス瞬間湯沸器４の下方には前カバーが取り付けられ、筺体２の背面及び左右の側面の全域には、１枚もしくは複数枚の背面カバー及び側面カバーが取り付けられている。また、筺体２の上面は、常時開放状態とされて、水タンク５の蓋体５ｃ等が外部に露出すると共に、カセットガスボンベ９が外部に露出した状態となっている。
【００２４】  このカセットガスボンベ９が筺体２の上部で外部に露出していることにより、例えば給湯装置１を気温が低い屋外で使用した場合等に、太陽光の熱によりカセットガスボンベ９の周囲の雰囲気が高められて、該ボンベ９の使用温度範囲内とすることが可能になっている。つまり、カセットガスボンベ９を、筺体２の上部でガス瞬間湯沸器４の排熱口４ｅの上方に所定の間隔寸法ｈを有した遮熱板１３上に外部に露出する状態で配置することにより、ガス瞬間湯沸器４の排熱と太陽熱を利用して、カセットガスボンベ９の周囲の雰囲気を所定の範囲内に維持できるようになっている。
【００２５】  図６は、前記給湯装置１のガスと水の系統図を示している。この図６に示すように、給湯装置１のガス系統は、４本のカセットガスボンベ（図ではカセットガス）９が、ガス流路を開閉させるバルブ１１ａとガス量（ガス圧）を調整する調整器１１ｂを有するガス配管１１によって、ガス瞬間湯沸器４のガス供給口４ｇに接続されている。また、点線で示すように、ガス瞬間湯沸器４のガス供給口４ｇには、一般家庭で使用している調整器１４ａを有するＬＰガス用のプロパンガスボンベ１４が、ガス配管１２を介して接続可能となっている。このとき、ガス瞬間湯沸器４のガス供給口４ｇには、カセットガスボンベ９かプロパンガスボンベ１４のいずれか一方が接続されるようになっている。
【００２６】  また、給湯装置１の水系統は、容積が１８リットの水タンク５の水排出口５ｅが、水配管１５を介してガス瞬間湯沸器４の前記蛇口４ｆに接続され、水タンク５のエア供給口５ｄには、減圧弁１７を有するエア配管を介して前記エアタンク７のエア出口７ｃが接続されている。また、エアタンク７のエア供給口７ａには、エア配管を介して前記コンプレッサ８のエア出口８ａが接続され、エアタンク７のエア供給口７ｂには、空気入れ６のホースが接続されるようになっている。また、ガス瞬間湯沸器４の蛇口４ｆには、点線で示すようにオプションとして上水道が水配管１６を介して接続可能となっており、このとき、ガス瞬間湯沸器４の蛇口４ｆには、水タンク５用の水配管１５と上水道用の水配管１６のいずれか一方が接続されるようになっている。
【００２７】  次に、このように構成された前記給湯装置１の使用方法等の動作の一例について説明する。まず、給湯装置１を使用しない通常の保管状態においては、カセットガスボンベ９は、給湯装置１から取り外した状態とされる。そして、地震等の災害が発生してライフラインが停止した場合には、給湯装置１をその車輪３を利用して例えば仮設テント等の所定位置まで移動して設置し、ガス瞬間湯沸器４の給湯ボタン４ａのオフを確認した状態において、給水車等からポリタンク内に給水された水を、水タンク５の蓋体５ｃを取り外して水タンク５内に供給する。
【００２８】  そして、水タンク５の蓋体５ｃが閉まっていることを確認して、水タンク５のエア供給口５ｄにエア配管１６のエアカプラを接続し、電気が使用できない場合は、空気入れ６を筺体２から取り出して、エアタンク７内の圧力が０．４Ｍｐａ以上になるまで、空気入れ６のハンドルを上下（実験によると約１５０回上下）させて、エアタンク７に所定圧のエアを供給する。
【００２９】  エアタンク７内にエアを供給したら、水配管１５先端に接続されている前記蛇口４ｆを全開にして、水タンク５内の水をガス瞬間湯沸器４内に供給する。このときの水は、水タンク５内がエアタンク７からのエアの供給で加圧されていることから、所定圧（例えばエアタンク二次圧０．０５Ｍｐａ）でガス瞬間湯沸器４内に供給されることになる。また、この状態でカセットガスボンベ９を前記アダプタ１０に接続して取り付け、ガス配管１１のバルブ１１ａを全開とする。
【００３０】  これにより、ガス瞬間湯沸器４内に所定圧の水と所定圧のブタンガスが供給された状態となり、この状態で給湯ボタン４ａを押すと、ガス瞬間湯沸器４が燃焼して給湯ボタン４ａで設定されている所定温度のお湯が湯排出口４ｃから給湯管４ｄ及び給湯口４ｄ１を介して外部に排出される。このとき、可撓性を有する給湯管４ｄを変形させつつ所定位置に設定することにより、所定の容器等にお湯を収容することができ、このお湯を、例えばお茶用に使用したり、レトルト食品用として使用したり、あるいは汗拭き用として使用することができる。
【００３１】  なお、震災の程度やライフラインの復旧により、例えば電気が使用できる場合は、前記コンプレッサ８の電源プラグをコンセントに差し込むこんで、コンプレッサ８の運転スイッチをオンとすることで、空気入れ６を使用することなく、コンプレッサ８からエアタンク７内に所定圧力のエアを供給して、お湯を沸かすことができる。また、家庭で使用していたプロパンガスボンベ１４が使用できる場合には、カセットガスボンベ９を全て取り外して、ガス瞬間湯沸器４のガス供給口４ｇに前記ガス配管１２を接続することにより、プロパンガスボンベ１４内のプロパンガスによりお湯を沸かすことができる。
【００３２】  さらに、上水道が使用できる場合には、ガス瞬間湯沸器４の蛇口４ｆから水タンク５の水配管１５を取り外し、上水道用の水配管１６を接続することにより、水タンク５を使用することなく所定圧の水をガス瞬間湯沸器４内に給水して、お湯を沸かすことができる。つまり、ライフラインとしての、電気、水、ガスが全て使用できない場合は、付設のカセットガスボンベ９、水タンク５、エアタンク７及び空気入れ６等を使用してお湯を沸かすことができ、また、電気、水、ガスの一つでも使用できる場合、その使用できるライフラインを生かしつつ、お湯を沸かすことができることになる。
【００３３】  ところで、実験によれば、１８リットルの水タンク５と４本のカセットガスボンベ９を使用し、ガス瞬間湯沸器４のガス消費量を１０．５ｋＷ（０．７５Ｋｇ／ｈ）、水圧の設定値を０．０５Ｍｐａ、エアタンクの最高圧を０．６８Ｍｐａに設定した前記給湯装置１の場合、水温と気温が１４℃の場合、約１００リットルの熱湯が得られることが確認されている。
【００３４】  なお、水タンク５が空になった場合の水の供給は、前記給湯ボタン４ａをオフにすると共に水タンク５のエア供給口５ｄからエアカプラを外し、蓋体５ｃを取り外して水タンク５内に水を供給することで行うことができる。また、ライフラインが全て復旧した場合等で、給湯装置１を使用する必要がなくなった場合は、給湯ボタン４ａをオフにし、カセットガスボンベ９を取り外す共に蛇口４ｆを閉じ、水タンク５のエア供給口５ｄからエアカプラを取り外す。そして、水タンク５の蓋体５ｃを開放すると共に、水タンク５の水排出口５ｅから水カプラを取り外し、その後、水タンク５自体を筺体２から取り外して、該タンク５内を清掃、洗浄して、例えば筺体２に再び取り付けて、屋内に保管すれば良い。
【００３５】  このように、前記給湯装置１によれば、コンプレッサ５や空気入れ６を作動させて水タンク５からガス瞬間湯沸器４の蛇口４ｆ（給水口）に所定圧の水を供給しつつ、カセットガスボンベ９からガス瞬間湯沸器４のガス供給口４ｇに所定圧のブタンガスを供給して、このガス瞬間湯沸器４で沸かしたお湯をガス瞬間湯沸器４の湯排出口４ｃから排出可能としているため、災害時に給水車等で給水された水を簡単に湯沸かしできて、このお湯を例えばお茶用やレトルト食品用あるいは汗拭き用として使用でき、被災時の生活環境の改善を図ることができる。
【００３６】  また、水タンク５内の水に所定の圧力を付与するために、エアタンク７にエアを供給するためのエア供給手段が、商用電源で作動可能なコンプレッサ８と自転車用の空気入れ６とで構成されているため、ＡＣ１００Ｖが使用可能な場合には、コンプレッサ８を使用しつつ給水でき、また、コンプレッサ８が使用できない場合には、空気入れ６を使用して給水できる等、使用可能な商用電源を効果的に使用しつつ、お湯を効率的に沸かすことができて、給湯装置１の使い勝手を高めることができる。
【００３７】  また、ガス瞬間湯沸器４の蛇口４ｆに水タンク５と上水道用の水配管１５、１６が択一的に接続可能に構成されると共に、ガス供給口４ｇにカセットガスボンベ９とプロパンガスボンベ１４のガス配管１１、１２が択一的に接続可能に構成されているため、被災地の状況に応じて、使用可能な上水道やプロパンガスボンベ１４を効果的に使用しつつ、お湯を効率的に沸かすことができて、給湯装置１の使い勝手を一層高めることができる。
【００３８】  さらに、カセットガスボンベ９がガス瞬間湯沸器４の上方に所定の間隔寸法ｈを有して配置された遮熱板１３上に、外部に露出する状態で配置されているため、遮熱板１３と太陽光によりカセットガスボンベ９の周囲の雰囲気を、該カセットガスボンベ９が作動可能な温度範囲内に容易に設定することができる。その結果、給湯装置１を屋外に設置した場合の、カセットガスボンベ９の低温化による使用不能状態を回避できて、給湯装置１を屋外であっても安定して使用することができる。
【００３９】  また、水タンク５の上部の給水口としてのキャップ部５ｂの上面開口部に蓋体５ｃが着脱可能に装着されると共に、水タンク５自体が筺体２に対して取り外し可能に構成されているため、蓋体５ｃを取り外すだけで水タンク５への給水作業を容易に行うことができると共に、筺体２から取り外すことで水タンク５自体の清掃や洗浄を簡単に行うことができて、被災時の使用中や保管時の水タンクを常に清潔に維持することができ、衛生面でも優れた給湯装置１を提供することが可能となる。
【００４０】  またさらに、縦長の筺体２内にガス瞬間湯沸器４や水タンク５、エアタンク７あるいはコンプレッサ８や空気入れ６等が効果的に配置されているため、例えば幅３８０ｍｍ×奥行き４６０ｍｍ×高さ９７０ｍｍで重量４０ｋｇ程度の大きさの、比較的小型の給湯装置１を得ることができると共に、車輪３による被災地の仮設テント位置等への移動及び設置を容易に行うことができる。
【００４１】  また、ガス瞬間湯沸器４に設けられた各種安全装置や、安全性の高いカセットガスボンベ９の使用により、給湯装置１に十分な安全性を確保することができると共に、一般家庭で使用しているガス瞬間湯沸器と同様の操作で使用できて、操作性を向上させることができる。これらにより、例えば給湯装置１を各種自治体や公共施設等に配置することで、震災発生時の被災者の生活改善に大きく寄与することが可能となる。
【００４２】  なお、前記実施形態においては、カセットガスボンベ９や水タンク５が筺体２の上部で外部に露出している場合について説明したが、本発明はこの例に限定されず、例えばこれらの上部に適宜のカバーを着脱可能に配設して、太陽光の熱によるカセットガスボンベ９の周囲の雰囲気を適宜に調整したり、カセットガスボンベ９への人手の接触等を防止するようにしても良い。
【００４３】  また、前記実施形態における、カセットガスボンベ９の本数、エア供給手段としての空気入れ６の形態、水タンク５やエアタンク７の形状及び配置位置等は一例であって、例えば手押し式の空気入れ６に替えて足踏み式の空気入れを使用する等、本発明に係わる各発明の要旨を逸脱しない範囲において、適宜に変更することができる。
【産業上の利用可能性】
【００４４】  本発明は、エア供給手段としてコンプレッサと空気入れを共に装備した給湯装置に限定されず、例えば空気入れのみを装備し、コンプレッサはオプションとして接続可能な給湯装置にも適用できる。
【符号の説明】
【００４５】  １・・・移動式給湯装置、２・・・筺体、３・・・車輪、４・・・ガス瞬間湯沸器、４ａ・・・給湯ボタン、４ｂ・・・湯排出口、４ｄ・・・給湯管、４ｄ１・・・給湯口、４ｆ・・・蛇口（給水口）、４ｇ・・・ガス供給口、５・・・水タンク、５ａ・・・本体部、５ｂ・・・キャップ部、５ｃ・・・蓋体、５ｄ・・・エア供給口、５ｆ・・・水排出口、６・・・空気入れ（エア供給手段）、７・・・エアタンク、７ａ、７ｂ・・・エア供給口、８・・・コンプレッサ（エア供給手段）、９・・・カセットガスボンベ、１０・・・アダプタ、１１、１２・・・ガス配管、１３・・・遮熱板、１４・・・プロパンガスボンベ、１５、１６・・・水配管、１７・・・減圧弁。
【図１】
2011169571.tif 000003
【図２】
2011169571.tif 000004
【図３】
2011169571.tif 000005
【図４】
2011169571.tif 000006
【図５】
2011169571.tif 000007
【図６】
2011169571.tif 000008